(57)【特許請求の範囲】
【請求項１】
手前プーリと前記手前プーリよりも大径の奥側プーリとがプーリ軸方向に並設された複数段掛プーリにおいて、前記手前プーリに巻き掛けられた周長方向に伸縮可能なベルトを前記奥側プーリにシフトさせるために使用するベルト取付治具であって、
前記手前プーリの外周面に設置される本体部と、
前記本体部よりもプーリ半径方向の外側に配置され、前記プーリ半径方向において前記奥側プーリの外周面よりも外側に位置する持ち上げ面を有するベルト接触部と、
前記手前プーリと前記奥側プーリとに跨るように前記ベルト接触部から前記プーリ軸方向の奥側に延び、前記持ち上げ面から前記プーリ軸方向の前記奥側に向かうにつれて前記プーリ半径方向の内側へ傾斜したガイド面を有するガイド部と、を備えることを特徴とするベルト取付治具。
【請求項２】
前記持ち上げ面が、前記プーリ軸方向の前記奥側に向かうにつれて前記プーリ半径方向の前記内側へ傾斜していることを特徴とする請求項１に記載のベルト取付治具。
【請求項３】
前記プーリ軸方向に対する前記持ち上げ面の傾斜角度が、前記プーリ軸方向に対する前記ガイド面の傾斜角度よりも小さいことを特徴とする請求項２に記載のベルト取付治具。
【請求項４】
前記奥側プーリの外周面には、プーリ周方向に沿って延びる溝が形成されており、
前記ガイド部の、前記プーリ軸方向の前記奥側の端部に、前記奥側プーリの前記溝に係合する係合部が形成されていることを特徴とする請求項１〜３のいずれかに記載のベルト取付治具。
【請求項５】
第１プーリと、手前プーリと前記手前プーリよりも大径の奥側プーリとがプーリ軸方向に並設された複数段掛プーリからなる第２プーリと、前記第１プーリと前記第２プーリとに巻き掛けられたベルトを有するベルト伝動機構において、請求項１〜３のいずれかに記載のベルト取付治具を用いて、前記第２プーリの前記手前プーリに巻き掛けられた前記ベルトを前記奥側プーリにシフトさせるベルト取付方法であって、
前記本体部が、前記第２プーリの前記手前プーリの外周面のうちの、前記ベルトが巻き掛けられていない部分に配置されるように、前記ベルト取付治具を設置する治具設置工程と、
前記第２プーリを回転させつつ前記ベルト取付治具をプーリ周方向に動かし、前記ベルト取付治具の前記ベルト接触部の前記持ち上げ面に前記ベルトを接触させるベルト接触工程と、
前記ベルト接触工程の後、前記第２プーリを回転させて、前記持ち上げ面により、前記ベルトを、前記プーリ半径方向において前記奥側プーリよりも外側の位置まで持ち上げるベルト持ち上げ工程と、
前記ベルト持ち上げ工程の後、前記第２プーリをさらに回転させて、前記ベルトを、前記ガイド部の前記ガイド面に沿って前記奥側プーリにシフトさせるベルトシフト工程と、を備えることを特徴とするベルト取付方法。
【請求項６】
前記持ち上げ面が、前記プーリ軸方向の前記奥側に向かうにつれて前記プーリ半径方向の前記内側に向かって傾斜しており、
前記プーリ軸方向に対する前記持ち上げ面の傾斜角度が、前記プーリ軸方向に対する前記ガイド面の傾斜角度よりも小さく、
前記ベルト接触工程では、前記持ち上げ面に前記ベルトを接触させることを特徴とする請求項５に記載のベルト取付方法。
【請求項７】
前記奥側プーリの外周面には、前記プーリ周方向にそって形成され、且つ、前記プーリ軸方向に並ぶ複数の溝を有し、
前記ガイド部の、前記プーリ軸方向の前記奥側の端部に、前記奥側プーリの前記複数の溝のいずれかに係合する係合部が形成され、
前記ベルト取付治具を前記手前プーリに設置する際には、前記係合部を、前記奥側プーリの複数の溝のうち、前記プーリ軸方向の最も前記奥側よりも手前側の溝に係合させることを特徴とする請求項５又は６に記載のベルト取付方法。
【発明の詳細な説明】
【技術分野】
【０００１】
本発明は、複数段掛プーリに使用するベルト取付治具及び当該ベルト取付治具を用いたベルト取付方法に関する。
【背景技術】
【０００２】
一般に、複数のプーリにベルトを巻き掛けてなるベルト伝動機構では、プーリ間で確実に動力を伝達させるために、装着対象であるプーリ間のレイアウト周長よりもベルト周長を短くしてベルトに強い張力がかかるような仕様になっている。特に、プーリの軸心位置を調整可能なテンションプーリ等のないレイアウトにおいて、互いの軸間距離がすべて固定された複数のプーリ間に、上記のベルト周長が短いベルトを取り付ける場合は、ベルトの張力に抗する強い力が必要となり手間がかかることがある。
【０００３】
また、上記のベルト伝動機構において、径の異なる複数のプーリが軸方向に並んだ、いわゆる、複数段掛プーリというものが知られている。この複数段掛プーリを使用したベルト伝動機構において、作業者から見て奥側にある大径の奥側プーリにベルトを巻き掛ける場合に、手前側にある小径の手前プーリにいったん巻き掛け、手前プーリに巻き掛けたベルトを奥側プーリにシフトさせる方法が知られている。手前プーリに巻き掛けたベルトを奥側プーリにシフトさせるために使用するベルト取付治具が、特許文献１及び特許文献２に記載されている。特許文献１及び特許文献２には、それぞれ、手前プーリの外周面に取り付けられ、手前プーリから奥側プーリへベルトを案内する案内面を有するベルト取付治具が開示されている。
【０００４】
特許文献１のベルト取付治具は、手前プーリの外周面に取り付けられる治具本体と、治具本体に形成された案内面とを備える。二段掛プーリの手前プーリにベルトを巻き掛け、ベルト取付治具を手前プーリの外周面に設置し、治具本体の上面にベルトをかけた状態で、ベルト取付治具を二段掛プーリとともに回転させる。これにより、案内面によってベルトが手前プーリから奥側プーリへ案内される。なお、特許文献１のベルト取付治具は、治具本体から奥側に突出し、奥側プーリの外周面に覆い被さる突片も備えている。但し、案内面は、あくまでも、治具本体の手前プーリ側の部分に形成されているのであって、突片まで案内面が形成されているわけではない。
【０００５】
また、特許文献２のベルト取付治具は、手前プーリの外周面に取り付けられる底部と、プーリ周方向において、底部の端部に形成された案内面とを備える。上記のベルト取付治具の案内面にベルトをかけた状態で、ベルト取付治具を二段掛プーリとともに回転させることにより、ベルトは奥側プーリのプーリフランジをまたいで、奥側プーリに順次シフトする。なお、この治具は、ほぼ全体が手前プーリの外周面に配置されている。つまり、案内面は、奥側プーリの外周面まで跨るようなものではない。
【先行技術文献】
【特許文献】
【０００６】
【特許文献１】特許第４９８８６１９号公報（図１、図４等）
【特許文献２】特許第５０９０９６１号公報（図１、図４等）
【発明の概要】
【発明が解決しようとする課題】
【０００７】
特許文献１及び特許文献２に記載のベルト取付治具では、案内面はいずれも手前プーリ側にしか形成されておらず、奥側プーリ側においては、ベルトを積極的に案内するものが設置されていない。このため、場合によっては、奥側プーリに確実にベルトをシフトさせることができない虞がある。
【０００８】
本発明の目的は、手前プーリ及び手前プーリよりも大径の奥側プーリを有する複数段掛プーリにおいて、手前プーリに巻き掛けられたベルトを奥側プーリに容易且つ確実にシフトさせるベルト取付治具及びベルト取付方法を提供することである。
【課題を解決するための手段】
【０００９】
第１の発明のベルト取付治具は、手前プーリと前記手前プーリよりも大径の奥側プーリとがプーリ軸方向に並設された複数段掛プーリにおいて、前記手前プーリに巻き掛けられた周長方向に伸縮可能なベルトを前記奥側プーリにシフトさせるために使用するベルト取付治具であって、前記手前プーリの外周面に設置される本体部と、前記本体部よりもプーリ半径方向外側に配置され、前記プーリ半径方向において前記奥側プーリの外周面よりも外側に位置する持ち上げ面を有するベルト接触部と、前記手前プーリと前記奥側プーリとに跨るように前記ベルト接触部から前記プーリ軸方向の奥側に延び、前記持ち上げ面から前記プーリ軸方向の前記奥側に向かうにつれて前記プーリ半径方向の内側へ傾斜したガイド面を有するガイド部と、を備えることを特徴とするものである。
【００１０】
ベルト取付治具の本体部を手前プーリの外周面に設置して、ベルト取付治具を複数段掛プーリとともにプーリ回転方向に移動させると、手前プーリに巻き掛けられたベルトは、ベルト接触部の持ち上げ面に接触しつつ、大径の奥側プーリよりもプーリ半径方向の外側まで持ち上げられる。さらに、持ち上げられたベルトは、手前プーリから奥側プーリまでまたがる、ガイド部の傾斜したガイド面に沿って、奥側プーリ側にシフトする。したがって、手前プーリから奥側プーリに容易且つ確実にベルトをシフトさせることができる。
【００１１】
第２の発明のベルト取付治具は、前記第１の発明において、前記持ち上げ面が、前記プーリ軸方向の前記奥側に向かうにつれて前記プーリ半径方向の前記内側へ傾斜していることを特徴とするものである。
【００１２】
ベルト接触部の持ち上げ面が、奥側に向かうにつれてプーリ半径方向の内側に傾斜しているため、持ち上げ面によって持ち上げられたベルトは、持ち上げ面の傾斜によってガイド面へ移動しやすくなる。したがって、確実にベルトをシフトさせることができる。
【００１３】
第３の発明のベルト取付治具は、前記第２の発明において、前記プーリ軸方向に対する前記持ち上げ面の傾斜角度が、前記プーリ軸方向に対する前記ガイド面の傾斜角度よりも小さいことを特徴とするものである。
【００１４】
ベルト接触部においては、持ち上げ面のプーリ軸方向に対する傾斜角度が比較的小さく、ベルトを奥側プーリにシフトさせるガイド部においては、ガイド面のプーリ軸方向に対する傾斜角度が比較的大きい。すなわち、持ち上げ面の傾斜は緩いため、この持ち上げ面によってベルトが持ち上げられる最中に、ベルトが滑り落ちにくい。一方、ガイド面の傾斜は、持ち上げ面よりもきつくなっているため、持ち上げ面で持ち上げられたベルトが、ガイド面に沿って奥側プーリへシフトしやすくなる。また、持ち上げ面の傾斜角度が小さいと、ベルト接触部のプーリ半径方向の外側への突出量が小さくなるため、ベルト取付治具をコンパクトな形状にすることができる。
【００１５】
第４の発明のベルト取付治具は、前記第１〜第３のいずれかの発明において、前記奥側プーリの外周面には、プーリ周方向に沿って延びる溝が形成されており、前記ガイド部の、前記プーリ軸方向の前記奥側の端部に、前記奥側プーリの前記溝に係合する係合部が形成されていることを特徴とするものである。
【００１６】
奥側プーリに、プーリ周方向に沿った溝が形成されている場合において、ガイド部のプーリ軸方向の奥側端部に形成された係合部が溝に係合するため、ベルト取付治具のガイド部が動きにくくなる。したがって、ベルト取付治具を手前プーリに固定しなくても、ベルトの反発力によって取付治具が外れてしまうのを防ぐことができる。
【００１７】
第５の発明のベルト取付方法は、第１プーリと、手前プーリと前記手前プーリよりも大径の奥側プーリとがプーリ軸方向に並設された複数段掛プーリからなる第２プーリと、前記第１プーリと前記第２プーリとに巻き掛けられたベルトを有するベルト伝動機構において、前記第１〜第３のいずれかの発明のベルト取付治具を用いて、前記第２プーリの前記手前プーリに巻き掛けられた前記ベルトを前記奥側プーリにシフトさせるベルト取付方法であって、前記本体部が、前記第２プーリの前記手前プーリの外周面のうちの、前記ベルトが巻き掛けられていない部分に配置されるように、前記ベルト取付治具を設置する治具設置工程と、前記第２プーリを回転させつつ前記ベルト取付治具を前記プーリ周方向に動かし、前記ベルト取付治具の前記ベルト接触部の前記持ち上げ面に前記ベルトを接触させるベルト接触工程と、前記ベルト接触工程後、前記第２プーリを回転させて、前記持ち上げ面により、前記ベルトを、前記プーリ半径方向において前記奥側プーリよりも外側の位置まで持ち上げるベルト持ち上げ工程と、前記ベルト持ち上げ工程後、前記第２プーリをさらに回転させて、前記ベルトを、前記ガイド部の前記ガイド面に沿って前記奥側プーリにシフトさせるベルトシフト工程と、を備えることを特徴とするものである。
【００１８】
前記第１〜第３のいずれかの発明のベルト取付治具の設置と、複数段掛プーリの回転に伴うベルト取付治具の移動という簡単な作業によって、手前プーリから奥側プーリに、確実にベルトをシフトさせることができる。
【００１９】
第６の発明のベルト取付方法は、前記第５の発明において、前記持ち上げ面が、前記プーリ軸方向の前記奥側に向かうにつれて前記プーリ半径方向の前記内側に向かって傾斜しており、前記プーリ軸方向に対する前記持ち上げ面の傾斜角度が、前記プーリ軸方向に対する前記ガイド面の傾斜角度よりも小さく、前記ベルト接触工程では、前記持ち上げ面に前記ベルトを接触させることを特徴とするものである。
【００２０】
持ち上げ面の傾斜が緩いため、持ち上げ面に接触したベルトが持ち上げられる最中に、ベルトが滑り落ちにくい。一方、ガイド面の傾斜は、持ち上げ面よりもきついため、持ち上げ面で持ち上げられたベルトが、ガイド面に沿って奥側プーリへシフトしやすくなる。
【００２１】
第７の発明のベルト取付方法は、前記第５又は第６の発明において、前記奥側プーリの外周面には、前記プーリ周方向にそって形成され、且つ、前記軸方向に並ぶ複数の溝を有し、前記ガイド部の、前記プーリ軸方向の前記奥側の端部に、前記奥側プーリの前記複数の溝のいずれかに係合する係合部が形成され、前記ベルト取付治具を前記手前プーリに設置する際には、前記係合部を、前記奥側プーリの複数の溝のうち、前記プーリ軸方向の最も前記奥側よりも前記手前側の溝に係合させることを特徴とするものである。
【００２２】
奥側プーリに、プーリ周方向に沿った複数の溝が形成されている場合において、ガイド部の係合部が最も奥側の溝よりも手前の溝に係合することによって、ベルト取付治具は、少なくともプーリ軸方向の奥側の溝一つ分を空けて取り付けられる。これにより、ベルトは、プーリ軸方向において、奥側プーリの最も奥側よりも少し手前側で奥側プーリに着地する。したがって、ベルトが奥側プーリからさらに奥側に外れた位置にずれてしまうのを防ぐことができる。
【図面の簡単な説明】
【００２３】
【図１】二段掛プーリを含むベルト伝動機構の正面図である。
【図２】本実施形態に係るベルト取付治具の斜視図である。
【図３】ベルト取付治具の六面図である。
【図４】（ａ）はベルト取付治具を二段掛プーリに取り付けた状態を示す正面図、（ｂ）は同じく右側面図である。
【図５】ベルト取付治具の使用方法の説明図である。
【図６】（ａ）は図５（ｃ）の右側面図、（ｂ）は図５（ｄ）の右側面図である。
【図７】変形例に係るベルト取付治具の右側面図である。
【図８】（ａ）は別の変形例に係るベルト取付治具の右側面図、（ｂ）、（ｃ）はベルト取付治具を二段掛プーリに取り付けた状態を示す右側面図である。
【発明を実施するための形態】
【００２４】
次に、本発明の実施の形態について、図１〜図６を参照しながら説明する。
【００２５】
（ベルト伝動機構の概略構成）
まず、本実施形態に係る後述のベルト取付治具１０を使用するためのベルト伝動機構１の概略構成について説明する。図１に示すように、ベルト伝動機構１は、例えば自動車エンジンに用いられる３軸レイアウトのプーリと、Ｖリブドベルト５（本発明のベルト）とを備える。３軸レイアウトのプーリは、例えばクランク軸に連結されるクランクプーリであるプーリ２（本発明の第１プーリ）と、ウォーターポンプ用の二段掛プーリ３（本発明の複数段掛プーリ、第２プーリ）と、エアコン用のプーリ４とを備える。各プーリはそれぞれ回転可能に支持されており、互いのプーリ軸間距離は固定されている。そして、各プーリ間にＶリブドベルト５が巻き掛けられ、クランク軸の回転動力が、プーリ２からＶリブドベルト５を介して二段掛プーリ３及びプーリ４に伝動される構成になっている。
【００２６】
なお、以下の説明の便宜上、図１の紙面垂直方向をプーリ軸方向とし、紙面手前側及び奥側をそれぞれプーリ軸方向の手前側、奥側とする。また、二段掛プーリ３の半径方向及び周方向を、それぞれプーリ半径方向、プーリ周方向とする。
【００２７】
次に、二段掛プーリ３の構成について説明する。図１及び図４に示すように、二段掛プーリ３は、手前プーリ６と、手前プーリ６よりも大径の奥側プーリ７とがプーリ軸方向に並設されて一体構造となったプーリである。すなわち、手前プーリ６と奥側プーリ７とは、同一軸を中心にして、連動して回転可能な構成になっている。なお、プーリ軸方向において、プーリ２、４及び奥側プーリ７の位置は略等しい。言い換えると、手前プーリ６は、プーリ軸方向において、プーリ２、４及び奥側プーリ７から手前側にオフセットされた位置に配置されている。
【００２８】
図３（ｂ）に示すように、手前プーリ６の外周面は平坦である。また、奥側プーリ７の外周面には、プーリ周方向に沿って複数の溝７１が形成されている。図３（ｂ）において、溝７１は３つ形成されており、各溝７１の深さは略等しい。また、奥側プーリ７のプーリ軸方向の手前側端部及び奥側端部には、それぞれプーリフランジ７２、７３が形成されている。
【００２９】
Ｖリブドベルト５は、無端ベルトであり、その周長方向において若干伸縮可能な所謂低モジュラスベルトである。低モジュラスベルトは、心線にポリアミド繊維を用いることで、弾性率を比較的低くしたものであり、高弾性率のものと比較して、急激な張力低下が抑制される。Ｖリブドベルト５の内周面には、図示しない複数のリブが周長方向に沿って形成されている。複数のリブは、奥側プーリ７の複数の溝７１と嵌合可能な形状になっている。
【００３０】
（ベルト取付治具の構成）
次に、本実施形態に係るベルト取付治具１０の構成について説明する。このベルト取付治具１０は、図１のベルト伝動機構１において、プーリ２，４及び二段掛プーリ３に掛けられたベルトを、二段掛プーリ３の小径の手前プーリ６から大径の奥側プーリ７にシフトさせる際に使用するものである。
【００３１】
図２及び図３は、それぞれベルト取付治具１０の斜視図及び六面図である。なお、便宜上、図２に示される方向を前後左右上下方向とする。
【００３２】
図３に示すように、ベルト取付治具１０は、正面視及び平面視で略矩形状の治具である。材料には、例えばポリプロピレン等の合成樹脂が用いられる。ベルト取付治具１０は、本体部１１と、本体部１１の上方に形成されたベルト接触部１２と、ベルト接触部１２の後方に突出するように形成されたガイド部１３と、ガイド部１３の後端部に形成された係合部１７とを備える。
【００３３】
本体部１１は、左右方向に沿って上方に湾曲した底面１４と、底面１４の後端から上方に延びる後面１８とを有する。
【００３４】
ベルト接触部１２は、持ち上げ面１５を有する。持ち上げ面１５は、ベルト接触部１２の上側端部に形成されており、後方に向かうにつれて下方に傾斜している。なお、持ち上げ面１５の傾斜角度Ａは、例えば、２０°以上、且つ、後述の傾斜角度Ｂ未満である。
【００３５】
ガイド部１３は、ベルト接触部１２から後方に突出した部分である。ガイド部１３の下側部分は、左右方向に沿って上方に湾曲しており、前後方向に段差が設けられている。また、ガイド部１３は、ガイド面１６を有する。ガイド面１６は、ガイド部１３の上側端部に形成され、ベルト接触部１２の持ち上げ面１５の後方に隣接しており、後方に向かうにつれて下方に傾斜している。ガイド面１６の傾斜角度Ｂは、例えば、３５°以上６０°以下である。なお、傾斜角度Ｂは、ベルト接触部１２の持ち上げ面１５の傾斜角度Ａよりも大きい。
【００３６】
係合部１７は、ガイド部１３の後端部に、左右方向に沿って下方に向かって突設された部分である。係合部１７は、左右方向に沿って上方に湾曲している。
【００３７】
上記のような構成を有するベルト取付治具１０は、二段掛プーリ３に取り付けられた際、図４（ａ）、（ｂ）に示すような状態になる。すなわち、本体部１１は手前プーリ６の外周面に設置され、本体部１１の底面１４が手前プーリ６の外周面に当接する。本体部の後面１８は、奥側プーリ７のプーリ軸方向の手前側面に当接する。ベルト接触部１２の持ち上げ面１５は、奥側プーリ７のプーリフランジ７２よりもプーリ半径方向の外側に位置する。また、ガイド部１３は、手前プーリ６から奥側プーリ７に跨るように配置され、ガイド部１３の下側部分は、奥側プーリ７のプーリフランジ７２及び溝７１に当接する。ガイド部１３のガイド面１６は、プーリ軸方向の奥側に向かうにつれてプーリ半径方向の内側へ傾斜する。さらに、係合部１７は、奥側プーリ７の複数の溝７１の一つに係合する。
【００３８】
（ベルト取付治具の使用方法）
次に、上記の構成を有するベルト取付治具１０を用いたベルト取付方法について説明する。まず、図５（ａ）に示すように、Ｖリブドベルト５をプーリ２とプーリ４と、二段掛プーリ３の手前プーリ６との間に仮掛けする。手前プーリ６は奥側プーリ７よりも小径であるため、Ｖリブドベルト５に大きな負荷をかけずに、Ｖリブドベルト５を上記プーリ間に容易に巻き掛けることができる。
【００３９】
なお、二段掛プーリ３は、手動で回転させることができる。具体的には、例えば、プーリ２に図示しないレンチを連結するなどして、プーリ２を手動で自由に回転させることができる。図５において、プーリ２を右回転させると、その回転動力がＶリブドベルト５、二段掛プーリ３に順次伝わり、二段掛プーリ３が右回転する。
【００４０】
次に、図５（ｂ）に示すように、ベルト取付治具１０を二段掛プーリ３に設置する（本発明の治具設置工程）。具体的には、手前プーリ６の外周面のうち、Ｖリブドベルト５が巻き掛けられていない部分に本体部１１を設置する。また、前述の図４（ｂ）に示すように、ガイド部１３を奥側プーリ７に跨がせ、係合部１７を、プーリ軸方向において奥側プーリ７の最も奥にある溝７１よりも、一つ手前側の溝７１に係合させる。以上の作業により、ベルト取付治具１０を固定することなく容易に二段掛プーリ３に取り付けることができる。なお、図５（ｂ）に示すように、ベルト取付治具１０が重力で滑り落ちないような位置に設置するのが良いが、ベルト取付治具１０を手で押さえていても良い。
【００４１】
次に、図５（ｃ）に示すように、ベルト取付治具１０を設置した状態で、二段掛プーリ３を回転させる。すると、ベルト取付治具１０は二段掛プーリ３とともにプーリ周方向に移動し、手前プーリ６に仮掛けしたＶリブドベルト５は、伸長しながらベルト取付治具１０のベルト接触部１２の持ち上げ面１５、すなわち緩やかな傾斜角度Ａの面に接触する（本発明のベルト接触工程）。さらに二段掛プーリ３を回転させると、図６（ａ）に示すように、Ｖリブドベルト５は持ち上げ面１５に乗り上げる。ここで、傾斜角度Ａは傾斜角度Ｂと比べて小さいため、Ｖリブドベルト５は持ち上げ面１５に乗り上げる途中で滑り落ちることなく、奥側プーリ７よりもプーリ半径方向の外側まで確実に持ち上げられる（本発明のベルト持ち上げ工程）。
【００４２】
なお、ベルト取付治具１０は固定されていないが、本体部１１の後面１８が奥側プーリ７のプーリ軸方向の手前側面に当接し、且つ、係合部１７が奥側プーリ７の溝７１に係合するため、ガイド部１３は動きにくい。したがって、Ｖリブドベルト５を持ち上げている間でも、Ｖリブドベルト５の反発力によってベルト取付治具１０が外れてしまうことを防ぐことができる。但し、例えばベルト取付治具１０がプーリ周方向に滑ることを確実に防ぎたい場合、ベルト取付治具１０を手などで押さえていても良い。
【００４３】
次に、図５（ｄ）に示すように、さらに二段掛プーリ３を回転させる。すると、ベルト取付治具１０の持ち上げ面１５に持ち上げられたＶリブドベルト５は、図６（ｂ）に示すように、持ち上げ面１５の傾斜に沿ってガイド部１３のガイド面１６、すなわち傾斜角度Ｂの面にシフトしていく（本発明のベルトシフト工程）。Ｖリブドベルト５は、ガイド面１６を滑り落ちながら奥側プーリ７に案内される。ガイド部１３が奥側プーリ７にまたがって設置されているため、Ｖリブドベルト５は、手前プーリ６から奥側プーリ７に確実にシフトする。
【００４４】
なお、前述のように、係合部１７は、プーリ軸方向において奥側プーリ７の最も奥にある溝７１よりも、一つ手前側の溝７１に係合している。このため、図６（ｂ）に示すように、シフトしたＶリブドベルト５は、プーリ軸方向において、奥側プーリ７の最も奥側よりも少し手前側から奥側プーリ７に着地する。そして、Ｖリブドベルト５の複数のリブのうち最も奥側のリブが、奥側プーリ７の最も奥側の溝７１に嵌る。したがって、Ｖリブドベルト５が奥側プーリ７からプーリ軸方向奥側にずれた位置までシフトしてしまうのを防ぐことができる。
【００４５】
図５（ｅ）に示すように、二段掛プーリ３をさらに回転させると、Ｖリブドベルト５のプーリ回転方向の後方部分が、奥側プーリ７に順次シフトしていく。最終的には、図５（ｆ）に示すように、Ｖリブドベルト５が完全に奥側プーリ７にシフトする。その後、ベルト取付治具１０を二段掛プーリ３から取り外して、Ｖリブドベルト５のシフト作業が完了する。
【００４６】
以上のように、本実施形態に係るベルト取付治具１０は、単純な形状を有し、且つ、大きさもコンパクトである。また、ベルト取付治具１０の設置と、二段掛プーリ３の回転に伴うベルト取付治具１０の移動という簡単な作業によって、Ｖリブドベルト５を手前プーリ６から奥側プーリ７に確実にシフトさせることができる。
【００４７】
次に、前記実施形態に変更を加えた変形例について説明する。但し、前記実施形態と同様の構成を有するものについては、同じ符号を付して適宜その説明を省略する。
【００４８】
（１）ベルト取付治具１０の構成は、適宜変更できる。例えば、ベルト接触部１２の持ち上げ面１５は、必ずしも傾斜していなくても良い。図７（ａ）に示すように、平坦な持ち上げ面１５ａでも良く、図７（ｂ）に示すように、一部平坦な持ち上げ面１５ｂでも良い。この場合、Ｖリブドベルト５が、持ち上げられる途中で滑り落ちにくくなる。なお、ベルト取付治具１０ａ，１０ｂを二段掛プーリ３とともにプーリ周方向に移動させた際、Ｖリブドベルト５が持ち上げ面１５ａ，１５ｂに乗り上げたままの状態になりうるが、傾斜したガイド面１６ａ，１６ｂが奥側プーリ７側にまたがっているので、Ｖリブドベルト５を手などでガイド面１６ａ，１６ｂ側へ押しやってシフトさせることも可能である。
【００４９】
或いは、図７（ｃ）に示すように、持ち上げ面１５ｃの傾斜角度とガイド面１６ｃの傾斜角度が同じであっても良い。この場合、持ち上げられたＶリブドベルト５が、引っかかることなく持ち上げ面１５ｃからガイド面１６ｃにシフトしやすくなる。
【００５０】
また、図８に示すように、係合部１７ｄを、奥側プーリ７の複数の溝７１のうちどの溝７１に係合させるか選択可能な構成にしても良い。例えば、図８（ａ）に示すように、ベルト取付治具１０ｄにおいて、本体部１１ｄの底面１４の前後方向の幅を、手前プーリの幅に対して、溝１つ分の幅以上小さくする。これにより、本体部１１ｄを設置するプーリ軸方向の位置を、手前プーリに対して変更することが可能となる。
【００５１】
具体的には、図８（ｂ）、（ｃ）に示すように、奥側プーリ７に対して、プーリ軸方向の奥側から二番目の溝７１に係合部１７ｄを係合させることもでき、プーリ軸方向の最も手前側の溝７１に係合させることもできる。したがって、色々な種類のプーリやベルトに対して、１つのベルト取付治具１０ｄを共通に使用することができる。勿論、ベルト取付治具１０ｄの構成は上記のものに限られず、係合部１７ｄを係合させる溝７１を選択可能にするものであれば良い。
【００５２】
また、ベルト取付治具１０の材質は、必ずしも合成樹脂でなくても良く、例えば金属製でも良い。さらに、ベルト取付治具１０は、手前プーリ６に固定せずに設置可能であるが、固定させるような構成であっても良い。
【００５３】
（２）本願のベルト取付治具の使用対象となるベルト伝動機構は、図１の構成のものには限られない。例えば、プーリの数や形状などは適宜変更できる。また、二段掛プーリ３の代わりに、三段掛以上の複数段掛プーリを用いても良い。また、ベルトも、Ｖリブドベルトであることは必須ではなく、Ｖベルト、平ベルトなどが用いられてもよい。
【符号の説明】
【００５４】
３                                        二段掛プーリ
５                                        Ｖリブドベルト
６                                        手前プーリ
７                                        奥側プーリ
１０，１０ａ，１０ｂ、１０ｃ、１０ｄ      ベルト取付治具
１１，１１ｄ                              本体部
１２，１２ｄ                              ベルト接触部
１３，１３ｄ                              ガイド部
１５，１５ａ，１５ｂ，１５ｃ，１５ｄ      持ち上げ面
１６，１６ａ，１６ｂ，１６ｃ，１６ｄ      ガイド面
１７，１７ｄ                              係合部
７１                                      溝
【図１】
0006660822.tif 000002
【図２】
0006660822.tif 000003
【図３】
0006660822.tif 000004
【図４】
0006660822.tif 000005
【図５】
0006660822.tif 000006
【図６】
0006660822.tif 000007
【図７】
0006660822.tif 000008
【図８】
0006660822.tif 000009